(57)【要約】【課題】本発明は、注射器が再使用されるのを防ぐため、自動的に引き込み可能な針を含む使い捨て安全注射器に関する。【解決手段】この注射器は、一方の端部に針１２を結合するための端部ピース７を定めていて、もう一方の端部が、シーリングガスケット５を有するピストン４をその内部に導入することができるように開いている円筒体を含む。本発明の主要な特徴は、上述のピストン４に、注射液の送給後、針１２と契合し、且つ、その針を引き込むための契合手段が設けられている。
2005511256.tif 000002
【特許請求の範囲】
【請求項１】
自動的に引き込み可能な針を含む使い捨て安全注射器であって、この注射器が、一方の端部に前記注射器の針を結合するための端部ピースを定めていて、もう一方の端部が、シーリングガスケットを含む注射器のプランジャーを受け容れることができるように開いている注射器の円筒体を含んでおり、前記注射器が、更に、前記注射器のプランジャーに、注射液の送給後、前記針と契合し、且つ、この針を引き込むための契合手段を有することを特徴とする使い捨て安全注射器。
【請求項２】
前記契合および引き込み手段が、前記注射器のプランジャーに形成された軸方向空洞の内部に位置する先端ハウスを含み、そして、前記先端部が、前記注射器の針と結合することができ、且つ、軸方向空洞に配列された戻しバネに接続されていることを特徴とする請求項１に記載の使い捨て安全注射器。
【請求項３】
前記注射器の針が、反発弾性ウィングを含むバレルエレメントに結合されていて、前記反発弾性ウィングは、前記針が引き込まれるのを防ぐため、前記ウィングの端部に、迫台歯状エレメントにより境界を画する切欠き部に隣接したテーパー部を有しており、そして、前記迫台歯状エレメントがロック用迫台エレメントに結合されていることを特徴とする請求項１又は２に記載の使い捨て安全注射器。
【請求項４】
前記バレルエレメントが、端部ピースに圧力結合され得るキャップの内部に収容されていて、前記キャップが、このキャップの内部に、前記バレルエレメントときっちり契合することができる円筒形部分を定めていることを特徴とする請求項１〜３のいずれか１項に記載の使い捨て安全注射器。
【請求項５】
前記契合および引き込み手段が、軸方向空洞に設けられた止め迫台を有し、この迫台が、弾性反発力によりもたらされ得るウィングと契合することができるクランピングエレメントを含む先端部の近傍に形成された迫台と契合可能であることを特徴とする請求項１〜４のいずれか１項に記載の使い捨て安全注射器。
【請求項６】
前記先端部が、前記プランジャーのガスケットにより定められた開口から突き出ており、そして、前記バネが、注射液送給操作の終了時に前記針を引き込むことができるように反発力により予め負荷されていることを特徴とする請求項１〜５のいずれか１項に記載の使い捨て安全注射器。
【請求項７】
前記反発弾性ウィングに定められた前記切欠き部のうちの少なくとも１つが、前記針を傾斜した配向で整列した状態にもたらし、前記針が再び抜け出るのを防止することができるように湾曲していることを特徴とする請求項１〜６のいずれか１項に記載の使い捨て安全注射器。
【請求項８】
前記注射器が再使用されるのを防ぐため、自動的に引き込み可能な針を含む使い捨て安全注射器において、前記注射器が、本明細書で開示および／又は例示されている請求項１〜７のいずれか１項に記載の使い捨て安全注射器。
【発明の詳細な説明】
【技術分野】
【０００１】
本発明は、注射器が再使用されるのを防ぐため、自動的に引き込み可能な針を含む使い捨て安全注射器に関する。
【０００２】
既知のように、使い捨て注射器に関わる主要な問題は、それらの注射器が再使用される可能性があることに由来するものであり、その注射器の針が、注射器を取り扱っている操作者に偶発的に刺さってしまう可能性があることである。
【０００３】
上述の問題を解決するため、安全注射器は既に製造されており、それらの注射器では、注射器本体とプランジャーとの間で作動する反発弾性手段が設けられていて、その反発弾性手段により、注射器の使用後、注射器のプランジャーが反発力によって注射器本体から後退させられるため、注射器の針が自動的に引き込まれるようになっている。
【０００４】
しかし、そのような解決策は、注射器の正規の使用中には、バネによりもたらされる反発弾性付勢力に打ち勝つ必要があり、そして、その駆動力は、針の充分な後退を確実化するためとはいえ、操作者による適切な使用を実際に妨げるほどの比較的強い力にならざるを得ないため、現実的でないことが判明している。
【発明の開示】
【発明が解決しようとする課題】
【０００５】
従って、本発明の目標は、注射器が再使用されるのを防ぐため、自動的に引き込み可能な針を含む使い捨て安全注射器を提供し、注射器の正規の使用中には作動しない反発弾性手段によって、注射器の針を注射器本体内へ自動的に引き込めるようにすることにより、上述の欠点を克服することである。
【０００６】
上述の目標の範囲内における本発明の主要な目的は、注射器の針を非常にシンプルで効果的な引き込み手段により引き込むことができる、そのような使い捨て安全注射器を提供することである。
【０００７】
本発明の別の目的は、特別に設計された構造的な特徴により、非常に信頼性高く、且つ安全に操作することができる、そのような使い捨て安全注射器を提供することである。
【０００８】
本発明の更に別の目的は、容易に入手可能なエレメントおよび材料から始めて、容易に製作することができ、その上、単なる経済的な観点からも非常に競合性を有する、そのような使い捨て安全注射器を提供することである。
【課題を解決するための手段】
【０００９】
本発明の１つの態様によれば、上述の目標および目的、並びに、本明細書にてより明らかになる更なる他の目的は、自動的に引き込み可能な針を含む使い捨て安全注射器であって、その注射器が、一方の端部に注射器の針を結合するための端部ピースを定め、そして、もう一方の端部が、シーリングガスケットを含む注射器のプランジャーを受け容れることができるように開いている注射器の円筒体を含み、更に、その注射器が、前述の注射器のプランジャーに、注射液の送給後、針と契合し、且つ、その針を引き込むための契合手段を含んでいることを特徴とする使い捨て安全注射器により達成される。
【００１０】
本発明の更なる特徴ならびに利点は、注射器が再使用されるのを防ぐため、自動的に引き込み可能な針を含む使い捨て安全注射器であって、限定的な例としてではなく、一例として添付図面に描かれている、非排他的な１つの好適な実施態様に関する以下の詳細な説明から、以後、一層明らかになろう。
【発明を実施するための最良の形態】
【００１１】
上述した図の参照番号に言及しながら説明すると、全体が参照番号１で表されている、本発明による引き込み可能な針を含む使い捨て安全注射器は、そこを注射器のピストンまたはプランジャーがスライド可能な内部チャンバー３を定める注射器の円筒体２を含んでいて、参照番号４で表されている前述の注射器のプランジャーまたはピストンは、中央開口６を有するシーリング用の前側に位置するガスケット５を含んでいるが、この構成については、以後の説明でより明らかになろう。
【００１２】
次に、本注射器の構成の詳細について言及すると、本注射器の円筒体２は、一方の端部に、そこへキャップ８が被せられる端部ピース７を備えていて、そして、前記キャップの内部にバレルエレメント１１を収容しており、また、そのバレルエレメントは、一方の端部が注射器の針１２に結合されていて、もう一方の端部は、参照番号１３でその全体を表わす、弾性反発力で拡張可能なウィングを有する。
【００１３】
前記ウィングは、それらの自由端に、端部ピース７の取り付け領域に設けられた迫台リングエレメント１８にもたれかかる歯状エレメント１７で終結する切欠き部１６に隣接したテーパー部１４を含んでいる。
【００１４】
端部ピース７の外面には、キャップ８の契合を改善するため、複数のスロット７ａが設けられている。
【００１５】
また、注射器の針が後退させられた状態にあるときに、その針が前記キャップに再契合されるのを実質的に防ぐため、湾曲した形状を有する更なる切欠き部１６ａも設けられている。
【００１６】
図示されているように、キャップ８は円筒表面１９を含んでおり、その円筒表面の内部に、必要なシーリングをもたらすべく、上述のバレルエレメント１１が契合されている。
【００１７】
本発明の１つの特徴によれば、本注射器のプランジャー４は、そこの一部に前記ガスケット５が配列される軸方向の空洞２０を定めており、そして、この空洞は、注射器が使用されるときに、上述の反発弾性ウィングと契合可能なクランピングエレメント２４を有する先端部２３により定められた迫台エレメント２２と契合する止め迫台２１を含んでいるが、この構成については、以後の説明で一層明らかになろう。
【００１８】
先端部２３は、上述の軸方向空洞２０内に収容されている回収用反発弾性手段３０に結合されており、そして、その回収用反発弾性手段は、もう一方の端部において、本注射器のプランジャー３０のフランジ付き端部３２にロックされ得る歯止めと契合している。
【００１９】
ここに開示されている構成の場合、先端部２３は、上述の中央の穴または開口６から突き出ており、そして、迫台２２と契合している止め迫台２１により、止め迫台位置に拘束されている。
【００２０】
本注射器を使用する場合には、図２および４に示されているように、本注射器のプランジャーが、注射液を注射するための運転行程を遂行するであろう。
【００２１】
そのような状況下にある場合、注射器の針は、キャップ８が被せられていて、且つ、歯状エレメント１７がロック用迫台１８と契合しているため、適所にしっかりと保持されている。
【００２２】
注射が終了すると、先端部２３のクランピングエレメント２４は、テーパー部１４と契合することによって、ウィング１３を半径方向に関して収縮された状態にもたらし、これにより、歯状エレメント１７が迫台１８から解放され、注射器の針を前記キャップから解放することが可能になるであろう。
【００２３】
更に、先端部２３は、図６で明確に示されているように、針を軸方向空洞２０の内部に直ちに引き込む戻しバネ３０が設けられているため、押し込み力下において止め迫台２１から離脱することができる。
【００２４】
そのような状況下においては、本注射器は絶対に再使用することができない。
【００２５】
その上、この針は、何らかの形で本注射器の操作者に役立つことを妨げる、保護された区域に配置されるであろう。
【００２６】
上の開示から、本発明が、意図された目標ならびに目的を充分に達成できることは明らかである。
【００２７】
特に、非常にシンプルな構造でありながら、注射のすぐ後に注射器の針を自動的に引き込むことができる安全な使い捨て注射器が提供されていることを指摘しておく。
【００２８】
ここに開示されている通りの本発明は、それらのすべてが本発明の範囲内に収まる幾つかの変更および改変を受け容れる余地がある。
【００２９】
更に、すべての構造的な詳細は、要件に応じて、他の技術的に同等なエレメントで置き換えることができる。
【図面の簡単な説明】
【００３０】
【図１】本発明による使い捨て安全注射器を示す概略分解図
【図２】使用条件下における本注射器の横断面図
【図３】注射液を送給する操作の最終ステップを示す概略図
【図４】図２の針およびプランジャーが占める位置を示す拡大図
【図５】図３に示されている状態における注射器の針およびプランジャーもしくはピストンの位置の拡大図
【図６】反発弾性手段により果たされる、注射器の針を引き込むための引き込み操作を示す概略図
【符号の説明】
【００３１】
２        円筒体
４        プランジャー又はピストン
５        シーリングガスケット
７        端部ピース
８        キャップ
１１      バレルエレメント
１２      針
１３      ウィング
１４      テーパー部
１６      切欠き部
１７      歯状エレメント
２０      空洞
２１      止め迫台
２４      クランピングエレメント
【図１】
2005511256.tif 000003
【図２】
2005511256.tif 000004
【図３】
2005511256.tif 000005
【図４】
2005511256.tif 000006
【図５】
2005511256.tif 000007
【図６】
2005511256.tif 000008
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
自動的に引き込み可能な針を含む使い捨て安全注射器であって、この注射器が、一方の端部に前記注射器の針を結合するための端部ピースを定めていて、もう一方の端部が、シーリングガスケットを含む注射器のプランジャーを受け容れることができるように開いている注射器の円筒体を含んでおり、前記注射器の針が、底部における2つの反発弾性ウィングを含むバレル円筒形エレメントに結合されていて、前記反発弾性ウィングは、前記針が引き込まれるのを防ぐため、前記ウィングの端部に、迫台歯状エレメントにより境界を画する切欠き部に隣接したテーパー部を有しており、また、前記迫台歯状エレメントは、ロック用迫台エレメントに結合されており、そして、前記注射器が、更に、前記注射器のプランジャーに、注射液の送給後、前記針と契合し、且つ、前記針を引き込むための契合および引き込み手段を含んでいて、前記契合および引き込み手段は、前記注射器のプランジャーに形成された軸方向空洞の内部に収容された先端部を含んでおり、また、前記先端部は、前記注射器の針と結合できるようになされていて、且つ、軸方向空洞に配列された戻しバネに接続されており、そして、前記反発弾性ウィングに定められた前記切欠き部のうちの少なくとも1つが、前記針を傾斜した配向で整列した状態にもたらし、前記針が再び抜け出るのを防止することができるように湾曲していることを特徴とする使い捨て安全注射器。
【請求項２】
前記バレルエレメントが、端部ピースに圧力結合され得るキャップの内部に収容されていて、前記キャップが、このキャップの内部に、前記バレルエレメントときっちり契合することができる円筒形部分を定めていることを特徴とする請求項１に記載の使い捨て安全注射器。
【請求項３】
前記契合および引き込み手段が、軸方向空洞に設けられた止め迫台を含み、そして、この止め迫台が、反発力によりもたらされ得るウィングと契合することができるクランピングエレメントを含む先端部の近傍に形成された迫台と契合可能であることを特徴とする請求項１に記載の使い捨て安全注射器。
【請求項４】
前記先端部が、前記プランジャーのガスケットにより定められた開口から突き出ており、そして、前記バネが、注射液送給操作の終了時に前記針を引き込むことができるように反発力により予め負荷されていることを特徴とする請求項１に記載の使い捨て安全注射器。
【国際調査報告】
2005511256.tif 000009
2005511256.tif 000010
2005511256.tif 000011
2005511256.tif 000012
2005511256.tif 000013